(57)【特許請求の範囲】
【請求項１】
筒状罐体の筒面を筒周囲方向に切断する罐体の切断機において、
一端部寄りに罐体を回転自在に取付ける取付手段を設け、他端側を操作部とした長形の支持杆と、
上記支持杆を所定の角度で横切るようにして、支持杆の中程に旋回自在に軸支し、かつ、先端部には上記取付手段によって取付けた罐体の筒周面方向に移動させる円形カッタ−を回転自在に設け、基部側を操作部とした長形の動作杆とを備え、
動作杆の操作部を支持杆の操作部方向に押圧操作し、円形カッタ−を上記取付手段に取付けた罐体の周面に圧入させて切断することを特徴とする罐体の切断機。
【請求項２】
請求項１に記載した罐体の切断機において、
支持杆には取付手段として回転自在とした取付ねじ部材を設け、
エンジンオイルのフィルタ−として使用されたフィルタ−罐体の取付けねじ孔を上記取付ねじ部材に螺着し、フィルタ−罐体の筒周面を切断する構成としたことを特徴とする罐体の切断機。
【請求項３】
請求項２に記載した罐体の切断機において、
支持杆にはフィルタ−罐体のオイル流入孔に連通させる小孔を形成すると共に、上記オイル流入孔と小孔とに挿入させるピン部材を設け、
切断後にピン部材を上記小孔とオイル流入孔とに挿入すると共に、取付ねじ部材を弛める方向に回転し、切断した罐体部分を上記取付ねじ部材より取り外す構成としたことを特徴とする罐体の切断機。
【発明の詳細な説明】
【０００１】
【発明の属する技術分野】
この発明は、筒状罐体を筒周面方向に切断する簡易な切断機に関し、例えば、エンジンオイルのフィルタ−として使用されたオイルフィルタ−を廃棄処分するため、その罐体を切断する切断機として使用することができる。
【０００２】
【従来の技術】
自動車、オ−トバイ、モ−タボ−トの船外機などのエンジンにはエンジンオイルを清掃するためのオイルフィルタ−が設けられている。
【０００３】
このオイルフィルタ−は、周知のように、金属材からなる有底の筒状罐体内に蛇腹状のフィルタ−材などを設け、その罐体開口部に金属材の蓋体がかしめ止めされた構成となっている。
【０００４】
そして、このオイルフィルタ−の蓋体中央には、内面にねじ形成された取付けねじ孔を有する小径管部が筒状体内に向かって突出しており、さらに、この蓋体には、上記の小径管部の孔口周囲に多数のオイル流入孔が設けられている。
【０００５】
上記したオイルフィルタ−は、上記小径管部の取付けねじ孔をエンジンの一部に螺着して取付けることによって、オイル流入孔から入ったオイルがフィルタ−材で濾過された後、上記の小径管部から流出してエンジン内に戻される。
このようなサイクルが繰返されてエンジンオイルが清掃される。
【０００６】
また、上記したオイルフィルタ−は、経年使用によってフィルタ−材の濾過作用が劣化するため、所定期間使用したオイルフィルタ−は新たなオイルフィルタ−に交換する。
【０００７】
【発明が解決しようとする課題】
上記したように、濾過作用の劣化したオイルフィルタ−は新たにオイルフィルタ−と交換され、使用済みのオイルフィルタ−として廃棄処分される。
【０００８】
ところが、この種のオイルフィルタ−の罐体は蓋体がかしめ止めさているために、この蓋体を取り外しフィルタ−材などの内部構造物を取り出すことができない。
【０００９】
また、罐体の板厚が比較的に厚いために、簡易な罐切器では罐体を切断することができない。
このことから、内部構造物を取り出さずに罐体全体をプレスなどで押しつぶし廃棄処分することが多い。
【００１０】
このために、フィルタ−材などに染み込んだオイルが時間の経過に伴って流れ出し、小径管部やオイル流入孔を通って罐体外に流出することがあり、公害上の問題となっている。
【００１１】
本発明は上記した実情にかんがみ、上記したオイルフィルタ−などの筒状罐体を手軽に切断し、罐内物を取り出してその回収処理を可能にするための簡易な切断機を提供することを目的とする。
【００１２】
【課題を解決するための手段】
上記した目的を達成するため、本発明では、第１の発明として、筒状罐体の筒面を筒周囲方向に切断する罐体の切断機において、一端部寄りに罐体を回転自在に取付ける取付手段を設け、他端側を操作部とした長形の支持杆と、上記支持杆を所定の角度で横切るようにして、支持杆の中程に旋回自在に軸支し、かつ、先端部には上記取付手段によって取付けた罐体の筒周面方向に移動させる円形カッタ−を回転自在に設け、基部側を操作部とした長形の動作杆とを備え、動作杆の操作部を支持杆の操作部方向に押圧操作し、円形カッタ−を上記取付手段に取付けた罐体の周面に圧入させて切断することを特徴とする罐体の切断機を提案する。
【００１３】
この切断機は、支持杆の取付手段に筒状罐体を取付けた後、動作杆の操作部を支持杆の操作部方向に押圧操作する。
この押圧操作により、動作杆が軸支部を支点に旋回動し、動作杆の先端部が筒状罐体方向に進み、円形カッタ−が筒状罐体の周面に圧入（噛込み）する。
【００１４】
その後、動作杆の操作部を押圧操作したまま支持杆と共に筒状罐体の周りを旋回させ、圧入した円形カッタ−を筒状罐体の周面方向に進め罐体を切断する。
【００１５】
この場合には、筒状罐体は回転しないように固定しておく。
なお、動作杆と支持杆を旋回させないで、筒状罐体を回転させても切断することができ、また、動作杆と支持杆を一方向に旋回させ、筒状罐体を他方向に回転させても同様に切断することができる。
【００１６】
第２の発明は、上記した第１の発明において、支持杆には取付手段として回転自在とした取付ねじ部材を設け、エンジンオイルのフィルタ−として使用されたフィルタ−罐体の取付けねじ孔部を上記取付ねじ部材に螺着し、フィルタ−罐体の筒周面を切断する構成としたことを特徴とする罐体の切断機を提案する。
【００１７】
この切断機は、エンジンオイルのフィルタ−罐体を切断するもので、フィルタ−罐体の取付けねじ孔を取付ねじ部材に螺着し、フィルタ−罐体を支持杆に回転自在に取付ける。
【００１８】
そして、上記同様にして、動作杆の操作部を押圧操作して円形カッタ−を罐体の周面に圧入させ、その状態で動作杆と支持杆とを旋回して切断する。
【００１９】
第３の発明は、上記した第２の発明において、支持杆にはフィルタ−罐体のオイル流入孔に連通させる小孔を形成すると共に、上記オイル流入孔と小孔とに挿入させるピン部材を設け、切断後にピン部材を上記小孔とオイル流入孔とに挿入すると共に、取付ねじ部材を弛める方向に回転し、切断した罐体部分を上記取付ねじ部材より取り外す構成としたことを特徴とする罐体の切断機を提案する。
【００２０】
この発明の切断機は、切り取った罐体部分を取付ねじ部材から取り除くためのピン部材を備えたものである。
【００２１】
つまり、支持杆の小孔と切り取った罐体部分のオイル流入孔にピン部材を挿入させ、支持杆に対して罐体部分を回転しないように保持する。
【００２２】
この状態で、ねじを弛める方向に取付ねじ部材を回転操作し、螺着している罐体部分を取付ねじ部材から取り除く。
【００２３】
【発明の実施の形態】
次に、本発明をオイルフィルタ−の切断機として実施した一実施形態について図面に沿って説明する。
図１は切断機の正面図、図２は同切断機の一部材切欠側面図である。
【００２４】
これらの図面に示すように、支持杆１１は長形の板体として形成し、その一端部寄りには取付手段としての取付ねじ部材１２が回転自在に軸着してあり、その他端側が操作部１１ａとなっている。
【００２５】
取付ねじ部材１２は、ねじ部１２ａを有する拡径部１２ｂと軸部１２ｃとを一体形成すると共に、上方部を六角の角頭部１２ｄとして形成してある。
なお、この取付ねじ部材１２は、ワッシャを介してＣリングを軸部１２ｃに係合させて抜け止めしてある。
【００２６】
上記取付ねじ部材１２はそのねじ部１２ａをオイルフィルタ−３０の取付ねじ孔に螺合させ、オイルフィルタ−３０を支持杆１１に対して回転可能に支持させるものである。
【００２７】
また、取付ねじ部材１２に接近させて支持杆１１に形成した小孔１１ｂは、オイルフィルタ−３０のオイル流入孔に連通する位置に設けてある。
この小孔１１ｂはオイル流入孔３１と連通させるようにしてピン２５を差し込み、切断した罐体部分を非回転に保持するものである。（図５参照）
【００２８】
一方、支持杆１１の中程には、への字状に形成した動作杆１５を支軸１６によって旋回自在に軸着してある。
この動作杆１５は、長形の板体であり、その先端部には円形カッタ−１７を設け、基部側が操作部１５ａとなっている。
【００２９】
動作杆１５は先端部よりやや中寄りで支軸１６によって軸支し、その軸支部が図３に拡大して示したように、互いに連通するようにして支持杆１１に形成した３つの軸孔１１ｃ、１１ｄ、１１ｅと切欠部１６ａを形成した支軸１６とによって形成してある。
なお、支軸１６は動作杆１５に固定してあり、ワッシャとＥリングとによって抜け止めしてある。
【００３０】
切欠部１６ａを有する支軸１６は図示二点鎖線で示すように、回転角を変えることによって、軸孔１１ｃ、１１ｄ、１１ｅの各々の軸孔位置に移すことができ、このように支軸１６の位置を変えて罐体直径の異なるオイルフィルタ−に対応するようにしてある。
【００３１】
円形カッタ−１７は、動作杆１５の先端部に形成した２股内に設け、Ｅリングによって抜け止めされた支軸２１によって回転自在に軸着してある。
【００３２】
その他、支持杆１１に設けたストッパ−２２は動作杆１５の旋回動を規制するものであり、また、輪環２３は上記したピン２５を鎖２４によって取付けておくものである。
【００３３】
次に、上記切断機の切断動作について説明する。
先ず、動作杆１５の操作部１５ａを支持杆１１の操作部１１ａから離れる方向に操作し、円形カッタ−１７を図１に示す鎖線のように取付ねじ部材１２より充分に離すようにする。
【００３４】
この状態で、取付ねじ部材１２にオイルフィルタ−３０を取付ける。
すなわち、オイルフィルタ−３０には図４に示したように、エンジンに取付けるための小径管部３２がオイル流出孔として設けられ、また、この小径管部３２の内周面はねじ山が形成された取付ねじ孔となっているから、その小径管部３２の取付ねじ部材１２のねじ部１２ａに螺合させるようにして取付ける。
【００３５】
このようにしてオイルフィルタ−３０を取付ける場合、工具を使って角頭部１２ｄを回転し、ねじ部１２ａを小径管部３２の取付ねじ孔に締結する。
なお、小径管部３２はオイルフィルタ−３０の蓋体に設けられている。
【００３６】
オイルフィルタ−３０を取付ねじ部材１２に取付けると、取付ねじ部材１２が支持杆１１に対して回転自在となっていることから、オイルフィルタ−３０が支持杆１１に対して回転自在となる。
【００３７】
オイルフィルタ−３０を上記のように取付けた後、動作杆１５の操作部１５ａを支持杆１１の操作部１１ａに近付けるように旋回操作し、円形カッタ−１７をオイルフィルタ−３０の罐体３３に当接させる。
【００３８】
続いて、動作杆１５の操作部１５ａを支持杆１１の操作部１１ａに近づける方向に押圧操作する。
この押圧操作で、円形カッタ−１７には動作杆１５のテコ作用による強い進出勢力が働き、円形カッタ−１７の一部が図１に示すようにオイルフィルタ−３０の罐体３３に圧入（噛込み）する。
【００３９】
その後、動作杆１５の操作部１５ａに押圧操作を加えながら、動作杆１５と支持杆１１とを固定し、取付ねじ部材１２の角頭部１２ｄを工具を使用して回転させオイルフィルタ−３０を回転させる。
この場合、取付ねじ部材１２をねじ込み方向に回転させる。
【００４０】
この操作によって、円形カッタ−１７の一部が図４に示す如く、罐体３３に噛込みながらオイルフィルタ−３０が回転するから、オイルフィルタ−３０を一回転させると、その上部周囲面が切断される。
【００４１】
したがって、罐体３３を蓋体側を残して切り落とすことができるから、オイルフィルタ−３０に内装されているフィルタ−材などの内部構造物を取り出し、有害汚染物として所定の廃棄処分を行なうことができる。
【００４２】
上記のように使用するこの切断機は、一方の手で工具を握って取付ねじ部材１２を回転させてオイルフィルタ−３０を回転し、他方の手で支持杆１１と動作杆１５とが旋回しないように握るようにする。
【００４３】
なお、切断機の使用に際しては、支持杆１１と動作杆１５とを一方向に旋回させ、オイルフィルタ−３０を他方向に回転させるようにしても切断することができ、また、オイルフィルタ−３０を固定し、支持杆１１と動作杆１５とを旋回操作しても上記同様に切断することができる。
【００４４】
切断後は、図５に示す如く、切断された蓋体側の罐体部分が取付ねじ部材１２に取付けられた状態となる。
したがって、罐体部分を回転させないように押え、取付ねじ部材１２の角頭部１２ｄを逆回転（ねじを弛める回転）させれば、罐体部分を取り除くことができる。
【００４５】
しかし、罐体部分は取付ねじ部材１２にねじ締結されているため、罐体部分を手で押えて角頭部１２ｄを逆回転させると、罐体部分の切断面のばりなどによって手指を傷付けることがある。
【００４６】
このことから、切断した罐体部分を取り除く場合には、図５に鎖線で示すように、支持杆１１の小孔１１ｂとオイルフィルタ−３０のオイル流入孔３１とを連通させ、これら孔１１ｂと３１とにピン２５を差し入れ、罐体部分を支持杆１１に対して回転しないように保持する。
【００４７】
この保持状態で支持杆１１を押え、取付ねじ部材１２の角頭部１２ｄを工具を使って逆回転させる。
これより、ねじ部１２ａがオイルフィルタ−３０の小径管部３２からねじにしたがって抜き出ることから、罐体部分を切断機から取り除くことができる。
なお、ピン２５は罐体部分を取り除いた後に小孔１１ｂより抜き出す。
【００４８】
以上、エンジンのオイルフィルタ−３０を切断する切断機について説明したが、同様の筒状罐体を切断する切断機としても同様に実施することができる。
【００４９】
【発明の効果】
上記した通り、本発明によれば、オイルフィルタ−などの筒状罐体を手軽に切断して内装物を取り出すことができる簡易な切断機を提供することができる。
【００５０】
また、オイルフィルタ−を切断する場合は、支持杆の一部に形成した小孔とオイル流入孔とに差し入れるピン部材を備えたので、切断した罐体部分の取り除きが極めて容易な切断機となる。
【図面の簡単な説明】
【図１】本発明の一実施形態を示す切断機の正面図である。
【図２】上記切断機の一部材切欠き側面図である。
【図３】上記切断機に備える動作杆の軸支部を示す拡大部分図である。
【図４】使用状態を示す上記切断機の一部切欠き部分図である。
【図５】切断後に罐体部分を取り除く状態を示した上記切断機の一部切欠き部分図である。
【符号の説明】
１１  支持杆
１１ａ  操作部
１１ｂ  小孔
１２  取付ねじ部材
１２ａ  ねじ部
１２ｄ  角頭部
１５  動作杆
１５ａ  操作部
１６  支軸
１７  円形カッタ−
２２  ストッパ−
２５  ピン
３０  オイルフィルタ−
３１  オイル流入孔
３２  小径管部
３３  罐体
【図１】
0004671145.tif 000002
【図２】
0004671145.tif 000003
【図３】
0004671145.tif 000004
【図４】
0004671145.tif 000005
【図５】
0004671145.tif 000006